(57)【要約】【課題】発光ダイオードの照射範囲を拡大し、更に広角の照明効果を達成すると同時に高輝度で及び光均一効果を向上させる広角照明装置を提供する。【解決手段】広角照明装置は、少なくとも基台、角錐構造体、固定構造、少なくとも１つの発光ダイオード及び照明カバーを含む。固定構造は角錐構造体を基台上に固定し、角錐構造体は少なくとも３個の三角形の側面及び１個の最上面を設置し、発光ダイオードは、それぞれ最上面及び各側面上に位置する。最上面及び各側面が異なる方向へ向けて異なる角度の投射面を形成する。【選択図】図１
2014135221.tif 000002
【特許請求の範囲】
【請求項１】
広角照明装置において、そのうち、少なくとも、
基台と、
該基台上に設置し、それは少なくとも３個の三角形の側面及び１個の最上面を設置し、該最上面及び各側面間はその対応する辺によって相互に連接し、該最上面は該基台上方へ向き、他に３個の側面は基台下方へ向く角錐構造体と、
該角錐構造体を該基台上に固定する固定構造と、 
該最上面及び各側面に位置する少なくとも１つの発光ダイオードと、
該基台上に被せて蓋をする照明カバーを含むことを特徴とする広角照明装置。
【請求項２】
前記最上面及び各側面は回路基板構造であり、該回路基板構造表面には少なくとも１つの回路を設置し、各発光ダイオードと電気連接するのに用いることを特徴とする請求項１記載の広角照明装置。
【請求項３】
前記各発光ダイオードは、チップオンボード(chip on board，COB)方式によって、回路と電気連接することを特徴とする請求項２記載の広角照明装置。
【請求項４】
前記回路基板構造はセラミック材質、PC(ポリカーボネート)材質もしくは金属材質であることを特徴とする請求項２記載の広角照明装置。
【請求項５】
前基台下方には更にネジプラグを設置し、該ネジプラグの底端はネジ紋部とすることを特徴とする請求項１から４のうち任意一項記載の広角照明装置。
【請求項６】
前記固定構造は、金属柱もしくは導熱管構造でもよいことを特徴とする請求項１から４のうち任意一項記載の広角照明装置。
【請求項７】
前記角錐構造体は三角錐体でもよく、それは３個の三角形の側面、及び１個の三角形の最上面を備えることを特徴とする請求項１から４のうち任意一項記載の広角照明装置。
【請求項８】
前記角錐構造体は、四角錐体でもよく、それは４個の三角形の側面、及び１個の正方形の最上面を備えることを特徴とする請求項１から４のうち任意一項記載の広角照明装置。
【請求項９】
前記角錐構造体は、該最上面と各側面の交接点で、角きりを成形し、更に各側面の交接点も角きりを成形することを特徴とする請求項１から４のうち任意一項記載の広角照明装置。
【請求項１０】
前記角錐構造体は、該最上面及び各側面の対応する連接辺に於いて、内向きに傾斜切面を成形し、更に各側面の対応する連接辺にも内向きに傾斜切面を成形することを特徴とする請求項１から４のうち任意一項記載の広角照明装置。
【発明の詳細な説明】
【技術分野】
【０００１】
本発明は、広角照明装置に関し、特に広角の照明効果を達成すると同時に、輝度及び光均一効果を高める広角照明装置に係わる。
【背景技術】
【０００２】
近年、地球温暖化問題は日ごとに厳しい状況となり、各種の省エネ，ＣＯ２削減のエコ製品は益々重要視されている。電球について言うと、従来は白熱電球を使用していたが、白熱電球は発光過程に於いて、消費エネルギーのうちの９０％が熱エネルギーに転化してしまい、残りの１０％だけが光になり、そのため、発光効率が低く、エネルギーを無駄に消費している。
【０００３】
白熱電球の低発光効率から市場では白熱電球に代わる発光ユニットが発展してきている。そのうちの一つである発光ダイオード(Light Emitting Diode；LED)は、高輝度、省エネ、環境保護、使用寿命の長さという長所を備え、且つ製造過程では二酸化炭素の放出量が減り、コストを下げる他に、汚染を減らす目的を達成する。
【０００４】
現在の技術であるLEDを光源とする電球のその主な構造は、ネジプラグ上に順に発光体と照明カバーを設置する。該発光体は平板状の回路基板構造及びその上に設置するLED発光ユニットを備える。
【先行技術文献】
【特許文献】
【０００５】
【特許文献１】台湾  TW M４１６７２７
【特許文献２】台湾  TW M４３９１４５
【特許文献３】台湾  TW I３５５４７２
【発明の概要】
【発明が解決しようとする課題】
【０００６】
解決しようとする問題点は、LED光源は直射光に属し、LED発光ユニットを平板状の回路基板構造に設置した時、LED発光ユニットはただ単一方向に向けてのみ集中照射し、且つ一般のLED発光ユニットの発光角度は約１２０度であるため、照らす範囲が小さく、該LED発光ユニットの光線が照明カバーの側辺及び下方へ投射しにくく、そのため該透光照明カバーの側辺及び下方の輝度が暗く、良好な照明効果を提供することができない点である。
【課題を解決するための手段】
【０００７】
広角照明装置は、少なくとも基台、角錐構造体、固定構造、少なくとも１つの発光ダイオード及び照明カバーを含む。固定構造は角錐構造体を基台上に固定し、角錐構造体は少なくとも３個の三角形の側面及び１個の最上面を設置し、発光ダイオードは、それぞれ最上面及び各側面上に位置する。最上面及び各側面が異なる方向へ向けて異なる角度の投射面を形成することを最も主要な特徴とする。
【発明の効果】
【０００８】
本発明の広角照明装置は、発光ダイオードの照射範囲を拡大し、更に広角的照明効果を達成すると同時に輝度及び光均一効果を高めるという利点がある。
【図面の簡単な説明】
【０００９】
【図１】本発明の広角照明装置第一実施例の構造立体図である。
【図２】本発明の広角照明装置第一実施例の構造俯瞰図である。
【図３】本発明の広角照明装置第一実施例の構造側面図である。
【図４】本発明の角錐構造体第二実施例の構造立体図である。
【図５】本発明の広角照明装置第二実施例の構造俯瞰図である。
【図６】本発明の角錐構造体第三実施例の構造立体図である。
【図７】本発明の角錐構造体第四実施例の構造立体図である。
【発明を実施するための形態】
【００１０】
広角の照明効果を提供すると同時に輝度及び光均一効果を高める広角照明装置を提供することを本発明の目的とする。
【００１１】
上述の目的を達成するため、本発明の広角照明装置は、少なくとも基台、角錐構造体、固定構造、少なくとも１つの発光ダイオード及び照明カバーを含む。固定構造は、角錐構造体を基台上に固定し、角錐構造体は少なくとも３個の三角形の側面及び１個の最上面を設置し、発光ダイオードはそれぞれ最上面及び各側面上に位置し、照明カバーは基台上に被せて蓋をする。
【００１２】
前述の技術手段に基づき、最上面及び各側面で異なる方向に向けて異なる角度の投射面を形成することで、発光ダイオードの照射範囲を拡大し、このように広角の照明効果を達成すると同時に輝度及び光均一効果を高める。
【実施例１】
【００１３】
図１は本発明の広角照明装置の第一実施例の構造立体図であり、図２は本発明の広角照明装置の第一実施例の構造俯瞰図である。本発明の広角照明装置１は、少なくとも基台１０、角錐構造体２０、固定構造３０、少なくとも１つの発光ダイオード４０及び照明カバー５０を含む。そのうち、
【００１４】
本実施例において、広角照明装置１は電球形式でもよく、基台１０の下方にはネジプラグ１１を設置し、ネジプラグ１１の底端はネジ紋部１１１として、一般電源ソケットに螺設するのに用い、電力源を得る。
【００１５】
角錐構造体２０は、基台１０上に設置し、図に示す実施例では三角錐体でもよく、３個の三角形の側面２１及び１個の三角形の最上面２２を設置する。最上面２２及び各側面２１間は、その対応する辺で相互に連接し、最上面２２は基台１０の上方に向け、その他の３個の側面２１は基台１０の下方に向ける。また固定構造３０は角錐構造体２０を基台１０上に固定し、そのうち固定構造３０は柱状構造体でもよく、溶接もしくは接着方式で角錐構造体２０の底部端箇所に結合し、且つ固定構造は金属柱もしくは導熱管構造でもよく、放熱効果が向上する。
【００１６】
少なくとも１つの発光ダイオード４０は、最上面２２及び各側面２１に位置する。そのうち最上面２２及び各側面２１は回路基板構造(セラミック材質、PC(ポリカーボネート)材質もしくは金属材質)でもよく、回路基板構造表面は少なくとも１つの回路２３を設置し、各発光ダイオード４０と電気連接するのに用い、各発光ダイオード４０はチップオンボード(chip on board，COB)方式で回路２３と電気連接する。
【００１７】
照明カバー５０は基台１０上に被せて蓋をする。
【００１８】
全体で使用する時、図３に示すとおり、最上面２２は上方に向け、最上面２２上の各発光ダイオード４０を上方向きで約１２０度の角度の上方照射範囲に形成する。各側面２１は相互に連接し、それぞれ異なる三個方向に向け、各側面２１上の各発光ダイオード４０を下方三個方向に向け、それぞれ約１２０度の角度で斜め下方の照射範囲を形成し、照明カバー５０の側辺及び下方へ相対して投射し、異なる角度の投射面を形成し、発光ダイオードの照射範囲を拡大し、広角照明効果を達成し、同時に高輝度及び光均一効果を向上させる。更に本発明の照明裝置は更にクリスタルランプに応用でき、良好な照明効果を達成する。
【実施例２】
【００１９】
更に角錐構造体２０は四角錐体でもよく、図４及び図５の第二実施例に示す。それは４個の三角形の側面２１，及び１個の正方形の最上面２２を備え、同様に最上面及び各側面が異なる方向に向くことに拠って、異なる角度の投射面を形成する。
【実施例３】
【００２０】
もしくは図６の第三実施例に示すとおり、角錐構造体２０は最上面２２と各側面２１の交差箇所に角きり２４を成形し、更に各側面２１の交差箇所にも角きり２４を成形する。
【実施例４】
【００２１】
もしくは、図７の第四実施例に示すとおり、角錐構造体２０は最上面２２及び各側面２１の対応連接辺は、内向きに傾斜切面２５を成形し、及び各側面２１の対応連接辺は内向きに傾斜切面２５を形成することで、角錐構造体２０は組立しやすい。
【００２２】
上述のとおり、本発明は実施可能な広角照明装置を提供し、特許を申請する。本発明の技術内容及び技術特徴は上述のとおりであるが、当領域に習熟する者が本発明に基づき、本発明の精神から乖離しない入替え及び修飾については、以下の請求項に含まれるものとする。
【符号の説明】
【００２３】
１        広角照明装置
１０      基台
１１      プラグ
１１１    ネジ紋部
２０      角錐構造体
２１      側面
２２      最上面
２３      回路
２４      角きり
２５      傾斜切面
３０      固定構造
４０      発光ダイオード
５０      照明カバー
【図１】
2014135221.tif 000003
【図２】
2014135221.tif 000004
【図３】
2014135221.tif 000005
【図４】
2014135221.tif 000006
【図５】
2014135221.tif 000007
【図６】
2014135221.tif 000008
【図７】
2014135221.tif 000009
【手続補正書】
【提出日】平成26年3月10日(2014.3.10)
【手続補正１】
【補正対象書類名】特許請求の範囲
【補正対象項目名】請求項１
【補正方法】変更
【補正の内容】
【請求項１】
基台（１）と、
該基台（１）上に固定構造（３０）を介して設置される底部端箇所と、少なくとも３個の二等辺三角形であって、６０°より実質的に小さい頂角を有する側面（２１）、及び各側面（２１）に連接する最上面（２２）を有する角錐構造体（２０）と、
該最上面（２２）及び各側面（２１）に位置する少なくとも１つの発光ダイオード（４０）と、および
上記基台（１）上に被せて蓋をする照明カバー（５０）、
から成ることを特徴とする広角照明装置。
【手続補正２】
【補正対象書類名】特許請求の範囲
【補正対象項目名】請求項６
【補正方法】変更
【補正の内容】
【請求項６】
前記固定構造は、金属柱もしくは導熱管構造であることを特徴とする請求項１から４のうち任意一項記載の広角照明装置。
【手続補正３】
【補正対象書類名】特許請求の範囲
【補正対象項目名】請求項７
【補正方法】変更
【補正の内容】
【請求項７】
前記角錐構造体は三角錐体であり、それは３個の三角形の側面、及び１個の三角形の最上面を備えることを特徴とする請求項１から４のうち任意一項記載の広角照明装置。
【手続補正４】
【補正対象書類名】特許請求の範囲
【補正対象項目名】請求項８
【補正方法】変更
【補正の内容】
【請求項８】
前記角錐構造体は、四角錐体であり、それは４個の三角形の側面、及び１個の正方形の最上面を備えることを特徴とする請求項１から４のうち任意一項記載の広角照明装置。
【手続補正５】
【補正対象書類名】明細書
【補正対象項目名】００１５
【補正方法】変更
【補正の内容】
【００１５】
角錐構造体２０は、基台１０上に設置し、図に示す実施例では三角錐体でもよく、３個の三角形の側面２１及び１個の三角形の最上面２２を設置する。最上面２２及び各側面２１間は、その対応する辺で相互に連接し、最上面２２は基台１０の上方に向け、その他の３個の側面２１は基台１０の下方に向ける。該側面２１は、図１および図３から明らかなように、３個の二等辺三角形であって、６０°より実質的に小さい頂角を有する。また固定構造３０は角錐構造体２０を基台１０上に固定し、そのうち固定構造３０は柱状構造体でもよく、溶接もしくは接着方式で角錐構造体２０の底部端箇所に結合し、且つ固定構造は金属柱もしくは導熱管構造でもよく、放熱効果が向上する。
【手続補正６】
【補正対象書類名】明細書
【補正対象項目名】００１９
【補正方法】変更
【補正の内容】
【００１９】
更に角錐構造体２０は四角錐体でもよく、図４及び図５の第二実施例に示す。それは４個の三角形の側面２１，及び１個の正方形の最上面２２を備え、同様に最上面及び各側面が異なる方向に向くことに拠って、異なる角度の投射面を形成する。上記側面２１は、図４から明らかなように、４個の二等辺三角形であって、６０°より実質的に小さい頂角を有する。